(57)【要約】      （修正有）【課題】畑で隣接する畝同士間などの狭い路地であっても、畝や作物を傷付けることなく、安定した姿勢で容易に移動ししつ種々の農作業が行え、不使用時には全体をコンパクトに折り畳める農作業用キャリアを提供する。【解決手段】平面視が矩形状の荷台枠２と、荷台枠２の上方に位置し、且つ平面視が矩形状の荷囲い枠１２と、荷台枠２および荷囲い枠１２の各側枠５，１５の外側に水平に突出した複数の軸ピンｐと、荷台枠２側の軸ピンｐに下端の軸受が枢支され、且つ荷囲い枠１２側の軸ピンｐに上端の軸受が枢支され、前後Ｆ−Ｒ方向に沿って回転可能な複数の旋回枠１０と、荷台枠２の前枠３における中央付近の前方Ｆに設けられ、且つ転動方向が自在な前輪ｗを有するフロント台１８と、荷台枠２の後枠４の中間から後方Ｒ側に延びた位置に配設された一対の後輪Ｗと、を含む。【選択図】図１
0003199048.tif 000002
【実用新案登録請求の範囲】
【請求項１】
前枠(３)、後枠(４)、および左右一対の側枠(５)からなり、平面視が矩形状の荷台枠(２)と、
上記荷台枠(２)の上方に位置し、上記同様の前枠(１３)、後枠(１４)、および左右一対の側枠(１５)からなり、平面視が矩形状の荷囲い枠(１２)と、
上記荷台枠(２)および荷囲い枠(１２)の各側枠(５，１５)の外側に水平に突出した複数の軸ピン(ｐ)と、
上記荷台枠(２)側の軸ピン(ｐ)に下端の軸受が枢支され、且つ荷囲い枠(１２)側の軸ピン(ｐ)に上端の軸受が枢支され、前後(Ｆ−Ｒ)方向に沿って回転可能な複数の旋回枠(１０)と、
上記荷台枠(２)の前枠(３)における中央付近の前方(Ｆ)に設けられ、且つ転動方向が自在な前輪(ｗ)を有するフロント台(１８)と、
上記荷台枠(２)の後枠(４)の中間から後方(Ｒ)側に延びた位置に配設された一対の後輪(Ｗ)、幅広の後輪(ＷＷ)、あるいはクローラ(Ｃ)と、を含む、
ことを特徴とする農作業用キャリア(１)。
【請求項２】
前記荷台枠(２)の前枠(３)の前方(Ｆ)に設けた支持枠(２２)には、前後(Ｆ−Ｒ)方向に沿った左右一対の長側枠(２６)と、該一対の長側枠(２６)の先端同士間を連結する掴み枠(２７)とからなる牽引枠(２５)が、上記長側枠(２６)ごとの基端部側に設けた丁番(ｈ)を介して、上記支持枠(２２)に連結することで、上下方向および前後(Ｆ−Ｒ)方向に沿って回転可能に接続されている、
ことを特徴とする請求項１に記載の農作業用キャリア(１)。
【請求項３】
前記牽引枠(２５)における左右一対の長側枠(２６)の前後(Ｆ−Ｒ)方向の中間には、該一対の長側枠(２６)同士間を接続する水平枠(２８)が固定され、該水平枠(２８)に、前記荷囲い枠(１２)の前枠(１３)に基端部を枢支された係止枠(３０)の先端に設けた係止部(３３)を係止することによって、前記荷台枠(２)と、その上方に位置する上記荷囲い枠(１２)と、前記複数の旋回枠(１０)と、これらに対し斜め姿勢となる上記牽引枠(２５)における左右一対の長側枠(２６)とを互いに位置規制可能としている、
ことを特徴とする請求項１または２に記載の農作業用キャリア(１)。
【請求項４】
前記複数の旋回枠(１０)を垂直姿勢から後(Ｒ)側に回転させ、前記荷囲い枠(１２)と係止枠(３０)とを前記荷台枠(２)の後(Ｒ)側に平行移動し且つ該荷台枠(２)と平行状にした際に、前記一対の後輪(Ｗ)、幅広後輪(ＷＷ)、またはクローラ(Ｃ)の上部は、上記荷囲い枠(１２)の内側に進入する、
ことを特徴とする請求項３に記載の農作業用キャリア(１)。
【請求項５】
前記フロント台(１８)には、前輪(ｗ)の両側に斜め下向きで且つ左右対称に延びる一対の補助車輪(ａｗ)が取り付けられている、
ことを特徴とする請求項１乃至４の何れか一項に記載の農作業用キャリア(１)。
【考案の詳細な説明】
【技術分野】
【０００１】
本考案は、例えば、消毒、施肥、除草、収穫のような各種の農作業に用いられ、狭い畝の間などにおいても安定した姿勢で容易移動できると共に、不使用時には全体を薄く且つコンパクトに折り畳める農作業用キャリアに関する。
【背景技術】
【０００２】
出願人は、既に、種々の農作業に用いられ、各種サイズの薬液タンクを積載しつつ移動できる農業用噴霧装置を提案している（例えば、特許文献１参照）。
更に、出願人は、既に、各種サイズの薬液タンクや収納容器などを自在に積載できると共に、不使用時にはコンパクトに折り畳める農作業用運搬車についても提案をしている（例えば、特許文献２参照）。
しかし、上記特許文献１の農業用噴霧装置や特許文献２の農業用運搬車では、薬液タンクなどを積載する荷台枠を移動可能に支持する左右一対の車輪が、前記荷台枠における一対の側枠の外側に突出している。そのため、上記一対の車輪間の距離（トレッド）が約４０ｃｍ〜５０ｃｍとなるため、例えば、畑の畝同士の間における狭い路地（幅：約３０ｃｍ）を移動する際に、一方または双方の車輪が畝を壊したり、係る畝で育成中の作物を不用意に傷付けてしまう、という問題があった。
【先行技術文献】
【特許文献】
【０００３】
【特許文献１】実用新案登録第３１６３０７３号公報（第１〜１０頁、図１〜１０）
【特許文献２】実用新案登録第３１８８６８４号公報（第１〜１０頁、図１〜５）
【考案の概要】
【考案が解決しようとする課題】
【０００４】
本考案は、背景技術で説明した問題点を解決し、例えば、田畑で隣接する畝同士間などの狭い路地であっても、畝や作物を傷付けることなく、安定した姿勢で容易に移動ししつ、施肥、除草、あるいは収穫などの農作業が行えると共に、不使用時には全体を薄く且つコンパクトに折り畳める農作業用キャリアを提供する、ことを課題とする。
【課題を解決するための手段および考案の効果】
【０００５】
本考案は、前記課題を解決するため、薬液タンクなどを支持する荷台枠の前方と後方とに、前輪および後輪などを配置すると共に、使用時に前記荷台枠、その上方に位置する荷囲い枠、および、これらの前方に延びた牽引枠を、不使用時には、互いに平行状に折り畳む、ことに着想して成されたものである。
即ち、本考案の農作業用キャリア（請求項１）は、前枠、後枠、および左右一対の側枠からなり、平面視が矩形状の荷台枠と、該荷台枠の上方に位置し、上記同様の前枠、後枠、および左右一対の側枠からなり、平面視が矩形状の荷囲い枠と、上記荷台枠および荷囲い枠の各側枠の外側に水平に突出した複数の軸ピンと、上記荷台枠側の軸ピンに下端の軸受が枢支され、且つ荷囲い枠側の軸ピンに上端の軸受が枢支され、前後方向に沿って回転可能な複数の旋回枠と、上記荷台枠の前枠における中央付近の前方に設けられ、且つ転動方向が自在な前輪を有するフロント台と、上記荷台枠の後枠の中間から後方側に延びた位置に配設された一対の後輪、幅広の後輪、あるいはクローラと、を含む、ことを特徴とする。
【０００６】
前記農作業用キャリアは、以下の効果（１），（２）を奏することができる。
（１）転動方向が自在な前輪と、一対の後輪、幅広の後輪、あるいはクローラとが、前記荷台枠の前枠および後枠の前後方向に配置されているので、幅の狭い２輪車または３輪車などとして、例えば、幅が約２０ｃｍ〜３０ｃｍ程度の狭い畝間の路地においても、両側の畝または左右何れか片側の畝を壊さず、野菜などの作物を傷付けることなく、安定した姿勢で容易に各種の農作業を行える。
（２）前記荷台枠と荷囲い枠とは、両者の各側枠の外側に突出した複数（例えば、２本）の軸ピンに上端と下端とに設けた軸受を介して、前後方向に沿って回転可能な複数（例えば、４本）の旋回枠により、互いに前後方向に沿って回転可能となっている。そのため、荷囲い枠を後方で且つ下側に移動させた際、複数の旋回枠は、該荷囲い枠および荷台枠の外側に位置しているので、該荷台枠と荷囲い枠とを直に接触させた状態で折り畳める。その結果、全体の厚みを比較的薄く且つコンパクトにした格納状態にできる。
【０００７】
尚、前記荷台枠、荷囲い枠、旋回枠、牽引枠、係止枠は、例えば、直径数ｃｍのステンレス鋼管やアルミニウム管などを曲げ加工したものが用いられる。
また、前記軸ピンは、普通鋼、軸受用鋼、あるいは、工具鋼などからなる。
更に、前記荷台枠および荷囲い枠は、平面視において、互いに同様のサイズであるか、互いに相似形の矩形（正方形または長方形）状を呈する。
また、前記「枢支」とは、回転可能または旋回可能を意味している。
更に、前記「荷台枠の前枠における中央側」とは、係る前枠の軸方向における中央付近を意味し、前記「荷台枠の後枠の中間」とは、係る後枠の軸方向における少なくとも両端部を除いた領域を指し、該軸方向の中央付近も含まれる。
また、前記「転動方向が自在な前輪」は、いわゆる方向自在輪である。
更に、前記一対の後輪は、一対の車輪の間に間隔を置いて枢支する形態のほか、一対の２重車輪（ダブルタイヤ）を隣接または離間してなる形態であっても良い。
また、前記幅広の後輪は、タイヤの幅が少なくとも１０ｃｍ以上、より望ましくは１５ｃｍ以上である。
加えて、前記クローラは、例えば、一対のゴムクローラを間隔を置いて配置する形態のほか、単一のゴムクローラからなる形態も含まれると共に、これらの形態ごとにおいて、クローラの長軸が地面と平行状の水平姿勢、あるいは地面に対して傾斜する傾斜姿勢の何れにより構成しても良い。
【０００８】
また、本考案には、前記荷台枠の前枠の前方に設けた支持枠には、前後方向に沿った左右一対の長側枠と、該一対の長側枠の先端同士間を連結する掴み枠とからなる牽引枠が、上記長側枠ごとの基端部側に設けた丁番を介して、上記支持枠に連結することで、上下方向および前後方向に沿って回転可能に接続されている、農作業用キャリア（請求項２）も含まれる。
これによれば、例えば、農作業者が、前記牽引枠の掴み枠を片手で掴み、本農作業用キャリアを畑の畝同士間を前方側に引っ張って移動しつつ、残りの片手で噴霧ノズルを操作することによって、前記荷台枠の上に載置され且つ前記荷囲い枠に上部の周囲を囲まれて積載されている薬液タンクから、霧状の農薬液を比較的少ない労力で容易に散布したり、残りの片手で雑草を容易に除草し且つ回収することなどが可能となる（効果（３））。
尚、前記牽引枠の掴み枠を片手で掴み、本農作業用キャリアを後方側に押して後退させつつ、前記農薬の噴霧作業を行うことも可能である。
【０００９】
更に、本考案には、前記牽引枠における左右一対の長側枠の前後方向の中間には、該一対の長側枠同士間を接続する水平枠が固定され、該水平枠に、前記荷囲い枠の前枠に基端部を枢支された係止枠の先端に設けた係止部を係止することによって、前記荷台枠と、その上方に位置する上記荷囲い枠と、前記複数の旋回枠と、これらに対し斜め姿勢となる上記牽引枠における左右一対の長側枠とを互いに位置規制可能としている、農作業用キャリア（請求項３）も含まれる。
これによれば、前記荷囲い枠の前枠に基端部を枢支された前記係止枠の先端に設けた係止部を前記水平枠に係止することで、前記荷台枠、荷囲い枠、複数の旋回枠、および牽引枠を互いに位置規制することができる。従って、上記荷台枠の上方で且つ荷囲い枠に囲まれた全体が直方体形状の積荷スペースを堅固に構成できるので、比較的重い薬液タンクなどの積荷を積載し、牽引枠を掴んで前方側に移動しつつ、農薬散布などの各種の農作業を安定して行える（効果（４））。
尚、前記水平枠は、例えば、前記係止枠の係止部を受け入れる貫通孔を有する形態としても良い。
【００１０】
また、本考案には、前記複数の旋回枠を垂直姿勢から後側に回転させ、前記荷囲い枠と係止枠とを前記荷台枠の後側の上方に平行移動し且つ該荷台枠と平行状にした際に、前記一対の後輪、幅広後輪、またはクローラの上部は、上記荷囲い枠の内側に進入する、農作業用キャリア（請求項４）も含まれる。
これによれば、前記荷囲い枠と係止枠とを前記荷台枠の後側の上方に平行移動し且つ該荷台枠と平行状にした際において、比較的直径が大きな前記一対の後輪、幅広後輪、または、比較的丈の大きなクローラであっても、これらの上部が荷囲い枠内側に進入する。そのため、前記効果（２）を保証することができる。
尚、前記荷囲い枠と共に前記荷台枠の後側の上方に平行移動した係止枠は、荷囲い枠の幅（横）方向の中央部に位置しているので、係る係止枠との干渉を防ぐには、一対の後輪の間、あるいは一対のクローラの間に上記係止枠が進入するように予め設定しておくことが望ましい。
【００１１】
加えて、本考案には、前記フロント台には、前輪の両側に斜め下向きで且つ左右対称に延びる一対の補助車輪が取り付けられている、農作業用キャリア（請求項５）も含まれる。
これによれば、前輪と一対の後輪、前輪と幅広後輪、あるいは、前輪と単一または一対のクローラの何れかにより、前後方向に沿った移動をする際に、前輪の両側に正面視でほぼハ字形状の姿勢で一対の補助車輪が配置されているので、凸凹の路地おいても、前記効果（１）を確実に奏することが可能となる。
尚、前記一対の補助車輪は、平坦な地面では、係る地面から若干の隙間を置いて浮いているように配置される。
【図面の簡単な説明】
【００１２】
【図１】本考案による一形態の農作業用キャリアを示す斜視図。
【図２】上記農作業用キャリアの要部を示す正面図。
【図３】上記農作業用キャリアの要部を示す底面図。
【図４】（Ａ）は上記農作業用キャリアの側面図、（Ｂ）はその折り畳み手順を示す概略図。
【図５】（Ａ），（Ｂ）は図４（Ｂ）に続く折り畳み手順を示す概略図。
【図６】異なる形態の農作業用キャリアの要部を示す底面図。
【図７】更に異なる形態の農作業用キャリアの要部を示す側面図。
【考案を実施するための形態】
【００１３】
以下において、本考案を実施するための形態について説明する。
図１は、本考案による一形態の農作業用キャリア１を示す斜視図、図２，図３は、その要部を示す正面図ないし底面図である。尚、図２中の符号ＧＬは、地面（田畑などにおける畝間の路地面を含む）を示し、図４以降でも同じである。
上記農作業用キャリア１は、図１〜図３に示すように、平面視が矩形（長方形または正方形）状の荷台枠２および荷囲い枠１２と、これらにおける左右一対ずつの側枠５，１５の幅方向（前後Ｆ−Ｒ方向と直交する方向）における外側に水平に突出した複数の軸ピンｐと、該軸ピンｐに上端および下端に設けた軸受１１を枢支され、且つ図１，図３中の前方Ｆ側および後方Ｒ側に沿って回転可能である垂直姿勢の４本（複数）の旋回枠１０と、上記荷台枠２の後枠５の中間から後方に延びて配設された一対の後輪Ｗと、前記荷台枠２の前枠３の中央付近の前方に配置された転動方向が自在な前輪ｗと、を備えている。
【００１４】
尚、上記荷台枠２および荷囲枠１２は、それぞれ、例えば、平面視で一辺が約３０ｃｍの正方形状、または、前後Ｆ−Ｒ方向の長さが約２１ｃｍで且つ幅が約３１ｃｍの長方形状である。係る荷台枠２の前枠３、後枠４，一対の側枠４ごとの中央部には、図３中の一点鎖線で示すように、側面視がП形状の荷支え枠３ａ、４ａ、５ａを、後述する折り畳みの際に支障を生じない位置に立設しても良い。
上記荷台枠２の内側には、前後Ｆ−Ｒ方向に沿った２本の荷支持枠６が水平に配置されている。該荷支持枠６は、３本以上としたり、更には、平面視で縦横に交叉する格子形状を呈する形態としても良い。
また、上記後輪Ｗおよび前輪ｗは、空気タイヤ、あるいは、合成ゴムまたは合成樹脂からなり且つ所要の柔軟性を有する中実のノーパンクタイヤである。
前記一対の後輪Ｗは、図１，図３に示すように、前記荷台枠２の後枠５の中央部に溶着された縦板８、および該縦板８の後方Ｒ側に接合された平面視がコ字形の支持枠９を介して、該支持枠９における一対の側片に対称に軸支されている。係る後輪Ｗは、それぞれ直径が約２１ｃｍで、且つ幅が約７〜９ｃｍである。
【００１５】
また、前記前輪ｗは、図１，図２に示すように、前記荷台枠２の前枠３の中央側に水平姿勢で溶着されたチャンネル枠１６の前枠１７に、水平姿勢で溶着されたフロント台１８の底面に、軸受を含むホルダ２０を介して取り付けられている。上記フロント台１８の底面には、上記前輪ｗよりも前方Ｆ側において、左右の斜め下側に対称に延びた一対の支持金具１９が固定され、係る支持金具１９ごとの下端の外側面には、ハ字形状の左右対称で且つ斜め下側に向かう一対の補助車輪ａｗが軸支されている。係る補助車輪ａｗは、硬質樹脂あるいは硬質ゴムからなる。尚、一対の補助車輪ａｗ間の最大幅は、約４０〜６０ｃｍ程度が推奨される。
【００１６】
更に、図１〜図３に示すように、前記荷台枠２の前枠３の両端側には、前方に延び且つ途中から湾曲しつつ斜め上方に延びた左右一対の支持枠２２の基端部が溶着され、該一対の支持枠２２の先端部を接続する水平な前枠２３には、側面視でほぼＬ字形状の支持材２１が溶着されている。係る支持材２１の荷台枠２側の端縁には、丁番ｈの一辺が水平に取り付けられている。係る丁番ｈの他辺には、側面視が扁平なチャンネル形状の回転材２４の後端縁が前後（Ｆ−Ｒ）方向に沿って旋回可能に接続され、該回転材２４における前板の左右両端部からは、左右一対の長側枠２６が斜め前方に延びている。係る一対の長側枠２６の先端部は、幅方向に沿った水平な掴み枠２７により接続され、これらが牽引枠２５を構成している。上記一対の長側枠２６の軸方向における中間には、両者の間を水平に接続する水平枠２８が幅方向に沿って溶着されている。
尚、上記支持材２１の底面と前記フロント台１８の上面との間には、図示しない支え材（ステイ）を取り付けても良い。
【００１７】
上記回転材２４の前板の中央部には、該前板を貫通するネジ孔に螺入するボルト（何れも図示せず）の摘み２９が位置しており、前記ボルトが、前記支持材２１の前板を貫通するネジ孔（図示せず）に螺入することにより、回転材２４と支持材２１とが互いにほぼ平行姿勢となり且つ互いに拘束（ロック）している。即ち、上記摘み２９を緩めることで、牽引枠２５は、前記丁番ｈを回転中心として上方および後方Ｒ側へ回転可能となる。
加えて、図１，図２に示すように、前記荷囲い枠１２の前枠１３の中間には、スリーブ７が回転可能に取り付けられ、係るスリーブ７には、係止枠３０を構成する左右一対の側枠３１の基端部が固着されている。該一対の側枠３１の先端部ごとには、下向きにほぼ直角に曲がる一対の縦枠３２と、これらの下側を接続する正面視がＵ形状の係止部３３とが位置している。
【００１８】
図１中の一点鎖線で示すように、前記係止枠３０は、スリーブ７を回転中心として、上方および後方Ｒ側に回転可能とされている。
即ち、上記係止枠３０は、図１〜図３に示すように、前記荷台枠２の真上に荷囲い枠１２が位置し、且つ牽引枠２５の基端側における前記回転材２４が前記支持材２１に拘束されている状態において、その係止部３３を牽引枠２５の水平枠２８に係止することによって、水平姿勢の荷台枠２と、水平姿勢の荷囲い枠１２と、４本の垂直な旋回枠１２と、牽引枠２５の傾斜姿勢である一対の長側枠２６とを互いに移動不能に位置規制している。
尚、前記荷台枠２、荷囲い枠１２、旋回枠１０、チャンネル枠１６、支持枠２２、牽引枠２５、および係止枠３０は、例えば、直径が約１〜２ｃｍのステンレス鋼からなる棒鋼あるいはパイプ材を用い、更に適宜曲げ加工したものである。
【００１９】
図１に示す使用状態において、前記荷台枠２と荷囲い枠１２とに囲まれた直方体状の積荷スペースには、例えば、内部に農薬液を充填した薬液タンク（図示せず）が前記荷支持枠６上に収納される。例えば、上記積荷スペースに縦長の薬液タンクなどを収納し、片手で牽引枠２５の掴み枠２７を前方Ｆ側に引っ張りつつ、液状の農薬や肥料を残りの片手で噴霧ノズルを操作する場合、田畑の畝間に位置する比較的狭い地面ＧＬでも、前輪ｗと一対の後輪Ｗとによる比較的幅の狭い３輪車として安定した姿勢で容易に移動できるので、比較的少ない労力で田畑などに農薬を噴霧するなどの農作業を行うことができる。しかも、前輪ｗや一対の後輪Ｗによって、両側の畝を損傷したり、係る畝で育成している野菜などの作物を傷付けることが皆無となる。更に、前輪ｗの付近には、一対の補助車輪ａｗが配置されているので、上記畝や地面ＧＬの凹凸により左右（幅）方向に揺らぐおそれも抑制することができる。従って、安全で快適な農作業が行い易くなる。
尚、前記薬液タンクには、噴霧ノズル、該ノズルに農薬液を圧送するポンプを駆動するモータ用のバッテリー、および背負い用ベルトが付設されている。
【００２０】
ここで、図４，図５に基づいて、前記農作業溶キャリア１を、前後Ｆ−Ｒ方向に沿って折り畳む機能などについて説明する。
先ず、図４（Ａ），（Ｂ）中の矢印で示すように、係止枠３０における一対の側枠３１を、その後方Ｒ側の前記スリーブ７を回転中心として、片手で係る側枠３１を後方Ｒ側で且つ斜め上方に持ち上げ、係止部３３を前記水平枠２８から離脱させた後、後方Ｒ側に約１８０度回転させて、荷囲い枠１２の上に載置する。
かかる状態で、上側の荷囲い枠１２の適所を残りの片手で掴み、図４（Ｂ）中の矢印で示すように、前後左右一対（合計４つ）の旋回枠１０を、これらの下端に位置する荷台枠２側の各軸受１１を回転中心として回転させ、係止枠３０を含む荷囲い枠１２を水平姿勢のまま後方Ｒ側で且つ斜め下方に平行移動させる。
【００２１】
その結果、図５（Ａ）中の実線の矢印に沿って後方Ｒ側へ回転した前記荷囲い枠１２は、荷台枠２よりも後方側Ｒで且つ該荷台枠２と平行な水平状の姿勢となる。この際、４本の前記旋回枠１０は、荷台枠２と荷囲い枠１２との外側において僅かに傾斜したほぼ水平状の姿勢となる。
図５（Ａ）に示す状態において、前記一対の後輪Ｗの上部あるいは上端部は、荷囲い枠１２の内側に進入する。また、前記係止枠３０における一対の側枠３１は、上記一対の後輪Ｗ間に位置する前記支持枠９の上方に位置している。
【００２２】
そのため、ほぼ同じの水平面付近に位置する荷台枠２および荷囲い枠１２の上方に跨って、平面視が長方形状を呈し且つ前後方向（Ｆ−Ｒ）に沿って緩く傾斜した長い荷台が形成される。係る長い荷台上に、例えば、樹脂製で且つ前後方向に長い直方体形状の収穫容器（図示せず）を載せることより、例えば、収穫期の畑、果樹園、家庭菜園、あるいは花壇において、前記牽引枠２５を引いて移動しつつ、成育した野菜や果物などを上記収穫容器に順次収穫する際に、比較的少ない労力によって効率良く収穫作業を行うことが可能となる。尚、上記収穫容器は、除草した雑草や不用意なゴミなどを回収するのに用いても良い。
次に、前記摘み２９を回してボルトを後退させ、回転材２４と支持材２１とのロック状態を解除する。更に、図５（Ａ）中の一点鎖線の矢印で示すように、前記牽引枠２５における一対の長側枠２６と回転材２４とを、前記丁番ｈを回転中心として、後方Ｒ側に約１２０度回転させる。
【００２３】
その結果、図５（Ｂ）に示すように、牽引枠２５における一対の長側枠２６は、前記荷囲い枠１２の上に重なるように載置される。この際、前記係止枠３０の係止部３３は、一対の長側枠２６の間に進入している。
係る状態で、荷台枠２と何れかの長側枠２６との間に、例えば、Ｃ字形状またはＳ字形状の掛け金具（図示せず）を架け渡して、両者を拘束することにより、図５（Ｂ）の水平姿勢のまま、あるいは、図５（Ｂ）から約９０度回転させた直立姿勢により、不使用時の前記農作業溶キャリア１を、全体が薄く且つコンパクトに折り畳んで保管することができる。
従って、以上のような構造および機能を備え、且つ作用を有する前記農作業溶キャリア１によれば、前記効果（１）〜（４）を奏することができる。
【００２４】
図６は、前記一対の後輪Ｗに替えて、荷台枠２の後枠４における中央部に溶着した平面視がチャンネル形の支持枠３４を介して、単一の幅広の後輪ＷＷを配設した状態を示す前記同様の底面図である。係る後輪ＷＷは、幅が少なくとも１０ｃｍ以上（例えば、約１５ｃｍ）の空気タイヤまたはノーパンクタイヤである。
尚、上記後輪ＷＷを用いる形態では、前記係止枠３０における一対の側枠３１との干渉を避けるため、係る一対の側枠３１における中間部分の幅を、係る後輪ＷＷの幅よりも若干広く設定しておくものとする。
【００２５】
図７は、前記一対の後輪Ｗに替えて、前記支持枠９の両側片ごとに前後Ｆ−Ｒ方向に沿った一対の支持台３５を個別に取り付け、係る支持台３５ごとの両端部に枢支した前後一対のスプロケットホイール３６間に、側面視で長円形状に巻き付けた合成ゴムからなる一対のクローラ（無限軌道）Ｃを配設した状態を示す前記同様の側面図である。該クローラＣの幅は、約８ｃｍ〜１２ｃｍである。
上記一対のクローラＣは、水平姿勢に限らず、後方Ｒ側のスプロケットホイール３６を地面ＧＬ側とし、且つ前方Ｆ側の該ホイール３６を上方に浮かすように傾斜した姿勢としても良い。また、幅が約１５ｃｍ以上である単一のクローラＣを荷台枠２の後枠４における中央部に前記同様に取り付けた形態としても良い。
【００２６】
図６に示した幅広の後輪ＷＷを含む形態、あるいは、図７に示した一対または単一のクローラＣを含む形態の農作業溶キャリア１によっても、前記効果（１）〜（４）を奏することが可能となる。
【００２７】
本考案は、以上において説明した形態に限定されるものではない。
例えば、前記荷台枠２、荷囲い枠１２、旋回枠１０、および牽引枠２０などは、エンジニアリングプラスチックなどの硬質樹脂の枠材により形成しても良い。
また、前記荷台枠２の前枠３上に対し、前記牽引枠２５における一対の長側枠２６に干渉しない位置に、積荷の前方Ｆ側への脱落を阻止する単数または複数の荷受け枠を立設しても良い。
更に、前記荷台枠２における左右一対の側枠５上にも、上記同様の荷受け枠を立設しても良い。
加えて、前記牽引枠２５、荷台枠２、および一対の後輪Ｗ付近には、前記特許文献１に記載されたブレーキ機構を付設するようにしても良い。
【産業上の利用可能性】
【００２８】
本考案によれば、田畑で隣接する畝同士間などの狭い路地でも、畝や作物を傷付けることなく、安定した姿勢で容易に移動ししつ、施肥、除草、あるいは収穫などの農作業が行えると共に、不使用時には全体を薄く且つコンパクトに折り畳める農作業用キャリアを確実に提供することができる。
【符号の説明】
【００２９】
１……………農作業用キャリア
２……………荷台枠
３，１３……前枠
４，１４……後枠
５，１５……側枠
１０…………旋回枠
１８…………フロント台
２２…………支持枠
２５…………牽引枠
２６…………長側枠
２７…………掴み枠
２８…………水平枠
３０…………係止枠
３３…………係止部
ａｗ…………補助車輪
Ｃ……………クローラ
ｈ……………丁番
ｐ……………軸ピン
ｗ……………前輪
Ｃ……………クローラ
Ｗ……………後輪
ＷＷ…………幅広の後輪
【図１】
0003199048.tif 000003
【図２】
0003199048.tif 000004
【図３】
0003199048.tif 000005
【図４】
0003199048.tif 000006
【図５】
0003199048.tif 000007
【図６】
0003199048.tif 000008
【図７】
0003199048.tif 000009
【手続補正書】
【提出日】平成27年6月2日(2015.6.2)
【手続補正１】
【補正対象書類名】実用新案登録請求の範囲
【補正対象項目名】全文
【補正方法】変更
【補正の内容】
【実用新案登録請求の範囲】
【請求項１】
前枠(３)、後枠(４)、および左右一対の側枠(５)からなり、平面視が矩形状の荷台枠(２)と、
上記荷台枠(２)の上方に位置し、上記同様の前枠(１３)、後枠(１４)、および左右一対の側枠(１５)からなり、平面視が矩形状の荷囲い枠(１２)と、
上記荷台枠(２)および荷囲い枠(１２)の各側枠(５，１５)の外側に水平に突出した複数の軸ピン(ｐ)と、
上記荷台枠(２)側の軸ピン(ｐ)に下端の軸受が枢支され、且つ荷囲い枠(１２)側の軸ピン(ｐ)に上端の軸受が枢支され、前後(Ｆ−Ｒ)方向に沿って回転可能な複数の旋回枠(１０)と、
上記荷台枠(２)の前枠(３)における中央付近の前方(Ｆ)に設けられ、且つ転動方向が自在な前輪(ｗ)を有するフロント台(１８)と、
上記荷台枠(２)の後枠(４)の中間から後方(Ｒ)側に延びた位置に配設された一対の後輪(Ｗ)、幅広の後輪(ＷＷ)、あるいはクローラ(Ｃ)と、を含む、
ことを特徴とする農作業用キャリア(１)。
【請求項２】
前記荷台枠(２)の前枠(３)の前方(Ｆ)に設けた支持枠(２２)には、前後(Ｆ−Ｒ)方向に沿った左右一対の長側枠(２６)と、該一対の長側枠(２６)の先端同士間を連結する掴み枠(２７)とからなる牽引枠(２５)が、上記長側枠(２６)ごとの基端部側に設けた丁番(ｈ)を介して、上記支持枠(２２)に連結することで、上下方向および前後(Ｆ−Ｒ)方向に沿って回転可能に接続されている、
ことを特徴とする請求項１に記載の農作業用キャリア(１)。
【請求項３】
前記牽引枠(２５)における左右一対の長側枠(２６)の前後(Ｆ−Ｒ)方向の中間には、該一対の長側枠(２６)同士間を接続する水平枠(２８)が固定され、該水平枠(２８)に、前記荷囲い枠(１２)の前枠(１３)に基端部を枢支された係止枠(３０)の先端に設けた係止部(３３)を係止することによって、前記荷台枠(２)と、その上方に位置する上記荷囲い枠(１２)と、前記複数の旋回枠(１０)と、これらに対し斜め姿勢となる上記牽引枠(２５)における左右一対の長側枠(２６)とを互いに位置規制可能としている、
ことを特徴とする請求項２に記載の農作業用キャリア(１)。
【請求項４】
前記複数の旋回枠(１０)を垂直姿勢から後(Ｒ)側に回転させ、前記荷囲い枠(１２)と係止枠(３０)とを前記荷台枠(２)の後(Ｒ)側に平行移動し且つ該荷台枠(２)と平行状にした際に、前記一対の後輪(Ｗ)、幅広後輪(ＷＷ)、またはクローラ(Ｃ)の上部は、上記荷囲い枠(１２)の内側に進入する、
ことを特徴とする請求項３に記載の農作業用キャリア(１)。
【請求項５】
前記フロント台(１８)には、前輪(ｗ)の両側に斜め下向きで且つ左右対称に延びる一対の補助車輪(ａｗ)が取り付けられている、
ことを特徴とする請求項１乃至４の何れか一項に記載の農作業用キャリア(１)。